(57)【要約】【課題】天候種別を取得し、１または複数の信号灯器における各信号灯色の表示態様を決定する場合に、前記取得した天候種別を前記決定要素の１つとして用いる、信号灯器制御システムを提供することを目的とする。【解決手段】信号制御装置１は、天候センサー４と天候情報サーバ５のうち少なくとも１つから発信される天候情報を受信し、受信した天候情報から、交通信号制御機２の設置された地点における天候種別を取得する。そして、前記取得した天候種別を用いて、信号灯器３の各信号灯色の表示態様を決定し、当該表示態様を指示する指示情報を交通信号制御機２に送信する。前記指示情報を受信した交通信号制御機２は、当該指示情報に従って信号灯器３の各信号灯色を表示させる。【選択図】図１
2008027025.tif 000002
【特許請求の範囲】
【請求項１】
１または複数の信号灯器に信号灯色を表示させる信号灯器制御システムにおいて、
天候種別を取得する天候種別取得手段と、
前記信号灯器における各信号灯色の表示態様を決定する表示態様決定手段を有し、
前記表示態様決定手段は、前記取得した天候種別を前記表示態様の決定要素の１つとして用いること、
を特徴とする信号灯器制御システム。
【請求項２】
前記表示態様は、輝度、位置、大きさ、及び形状のうちの少なくとも１つであること、
を特徴とする請求項１に記載の信号灯器制御システム。
【発明の詳細な説明】
【技術分野】
【０００１】
本発明は、１または複数の信号灯器に信号灯色を表示させる信号灯器制御システムに関する。
【背景技術】
【０００２】
信号灯器には、電球を用いるものやＬＥＤを用いるものがあり、以下、前者を電球式信号灯器、後者をＬＥＤ式信号灯器と呼ぶ。
【０００３】
従来までの信号灯器制御システムは、信号灯器の各信号灯色を点灯、消灯、または点滅の３つの状態のうち、いずれかに切り替えるのみであった。
【０００４】
そこで、本出願人は、特許文献１において、信号灯の輝度を夜間抑制して使用することで低消費電力化を図る交通信号システムを提案した。
前記発明は、省エネルギーの観点で信号灯の輝度を調整する方法である。
【特許文献１】特開２００６−１４６２９５号公報
【発明の開示】
【発明が解決しようとする課題】
【０００５】
信号灯器については、前記省エネルギーの観点のみならず、交通安全の観点から、視認性を向上させることも重要と考えられる。
例えば、濃霧や大雨といった天候の場合には、ドライバによる信号灯器の視認性が低下するという問題が生じるが、従来までの信号灯器の制御システムでは、視認性を向上する対策を講じることはできなかった。
【０００６】
ドライバにとっての信号灯器の見やすさは信号灯色の表示態様に依存すると考えられるから、状況に応じて前記表示態様をコントロールすることが有効と考えられる。
すなわち、信号灯色の輝度、大きさ、位置、及び形状等の表示態様を変えることによって、ドライバにとっての信号灯器の視認性を向上させることができると考えられる。
【０００７】
そこで、本発明では、天候を加味して各信号灯色の表示態様を決定することが可能な信号灯器制御システムを提供することを目的とする。
【課題を解決するための手段】
【０００８】
本発明の信号灯器制御システムは、天候種別を取得する天候種別取得手段と、信号灯器の表示態様を決定する表示形態決定手段と有し、前記表示態様決定手段は、前記取得した天候種別を前記表示態様の決定要素の１つとして用いることを特徴とする（請求項１）。
【０００９】
また、本発明の信号灯器制御システムにおける前記表示態様は、輝度、位置、大きさ、及び形状のうちの少なくとも１つであることを特徴とする（請求項２）。
【００１０】
これらの発明によれば、ドライバによる信号灯器の視認性が天候によって左右される地点において、信号灯器の各信号灯色の輝度、位置、大きさ、及び形状等のうちの少なくとも１つを天候に応じて変化させることで、ドライバによる信号灯器の視認性を向上できる。
【発明の効果】
【００１１】
以上のように本発明によれば、天候種別を信号灯器の表示形態の決定要素の１つとすることで、ドライバによる信号灯器の視認性を向上することができる。
【発明を実施するための最良の形態】
【００１２】
（第１の実施形態）
以下、本発明の第１の実施の形態を、添付図面を参照しながら詳細に説明する。
図１は、本発明に係る信号灯器制御システムの概略を示す図である。
【００１３】
図１において、１は交通管制センターに設置される信号制御装置であり、通信回線を介して、交差点に設置された交通信号制御機２を制御する機能を有する。
また、信号制御装置１は、天候センサー４からの天候情報を、交通信号制御機２経由で通信回線を介して受信する機能を有する。さらに、天候情報サーバ５からの天候情報を受信する機能を有する。
【００１４】
交通信号制御機２は路側に設置され、信号制御装置１から通信回線を介して送信される信号制御指令情報等に基づいて、信号灯器３を制御する機能を有する。また、天候センサー４から天候情報を受信する機能を有する。
【００１５】
信号灯器３は交通信号制御機２に接続され、交通信号制御機２によって信号灯色が表示される。
【００１６】
天候センサー４は路側に設置され、当該設置地点における天候情報を検知し、交通信号制御機２に送信する機能を有する。
【００１７】
天候情報サーバ５は、ある特定の地点もしくは複数の地点における天候情報を信号制御装置１に送信する機能を有する。
【００１８】
なお、天候センサー４と天候情報サーバ５は、一方のみが存在しても良いし、双方とも存在していても良い。
また、これらとは異なる装置等が天候情報を送信しても良く、信号制御装置１が天候種別を決定するための情報を手に入れられれば良い。
【００１９】
図１において、信号制御装置１に通信回線を介して接続される交通信号制御機は１台の場合を例示して説明するが、２台以上であっても良い。
【００２０】
図１において、信号制御装置１は、天候センサー４と天候情報サーバ５のうち少なくとも１つから発信される天候情報を受信する。ここで、天候情報は、例えば、気温、湿度、降水量、日照時間、風速、積雪等のように、天候種別を決定するために必要な情報をいう。
【００２１】
天候情報は、現在もしくは過去の天候情報であっても良いし、予測した未来の天候情報であっても良い。また、天候情報は、特定の地点の情報であっても良いし、複数の地点やエリアの情報であっても良い。
【００２２】
信号制御装置１は、受信した天候情報から、交通信号制御機２の設置された地点における天候種別を取得する。
天候種別は、例えば、晴れ、曇り、降雨、小雨、大雨、降雪、小雪、大雪、濃霧等である。
なお、前記天候情報が天候種別そのものを含んでいても良い。
【００２３】
信号制御装置１は、取得した天候種別に基づいて、信号灯器３の表示態様を決定し、当該決定した表示態様を含む指示情報を交通信号制御機２に送信する。
前記指示情報を受信した交通信号制御機２は、当該指示に従って信号灯器３を表示させる。
【００２４】
天候センサー４としては、例えば、降雨センサーや降雪センサー等が挙げられ、天候に関する情報を検知できるものであれば良い。また、これらのセンサーを組み合わせて用いても良い。
【００２５】
天候情報サーバ５としては、例えば、気象庁の地域気象観測システム等の有する天候に関する情報を、インターネット等を通じて配信するサーバ等が挙げられ、天候に関する情報を配信するサーバであれば良い。
【００２６】
図２は、信号制御装置１及び交通信号制御機２の全部または一部を構成する機能を示す機能ブロック図である。
図２に従って、信号制御装置１と交通信号制御機２に関する動作を説明する。
【００２７】
図２において、信号制御装置１は、天候種別取得手段１０１、表示態様決定手段１０２、天候情報サーバ通信手段１０５、及び中央装置通信手段１０６から構成される。
【００２８】
天候情報サーバ通信手段１０５は、天候情報サーバ５から天候情報を受信する機能を有する。なお、天候情報サーバ通信手段１０５と天候情報サーバ５はあっても良いし、無くても良い。
また、天候情報サーバ５から送信される天候情報は、天候種別であっても良い。
【００２９】
天候種別取得手段１０１は、天候センサー４と天候情報サーバ５のうち少なくとも１つから発信された天候情報に基づいて、交通信号制御機２の設置地点における天候種別を取得する機能を有する。
なお、天候種別取得手段１０１は、信号制御装置１に接続された全ての交通信号制御機の設置地点における天候種別を取得するが、例えば、その一部が天候種別取得不能となる場合もしくは時間帯があっても良い。
【００３０】
表示態様決定手段１０２は、交通信号制御機２の信号灯器３における各信号灯色の表示態様を決定する機能を有し、前記取得した天候種別を前記表示態様の決定要素の１つとする。
【００３１】
中央装置通信手段１０６は、交通信号制御機２と各種データを送受信する機能を有する。ここにいう各種データとは、表示態様決定手段１０２が決定した表示態様を指示する指示情報、天候センサー４から発信され交通信号制御機２経由で通信回線を介して送られる天候情報等を指す。
【００３２】
図２において、交通信号制御機２は、信号灯器表示手段２０３と天候センサー通信手段２０４と端末装置通信手段２０６から構成される。
【００３３】
天候センサー通信手段２０４は、天候センサー４から天候情報を受信する機能を有する。なお、天候センサー通信手段２０４と天候センサー４はあっても良いし、無くても良い。
また、天候センサー４から送信される天候情報は、天候種別であっても良い。
【００３４】
端末装置通信手段２０６は、信号制御装置１と各種データを送受信する機能を有する。ここにいう各種データとは、信号制御装置１が通信回線に送信する前記指示情報、天候センサー４から受信した前記天候情報等を指す。
【００３５】
信号灯色表示手段２０３は、信号制御装置１から受信した前記指示情報に従って、信号灯器３の信号灯色を表示させる。
【００３６】
次に、図２における天候種別取得手段１０１と表示態様決定手段１０２が図１における交通信号制御機２の信号灯器３における各信号灯色の表示態様を決定する方法を説明する。
【００３７】
図２における天候種別取得手段１０１は、天候センサー４と天候情報サーバ５のうち少なくとも１つから発信された天候情報を受信し、当該天候情報に基づいて交通信号制御機２の設置された地点における天候種別を判断し、取得する。
【００３８】
天候センサー４と天候情報サーバ５の双方から同じ地点の天候情報を受信した場合には、例えば、情報発信元に優先順位を設定しておき、優先順位の高い情報発信元の天候情報を採用して天候種別を取得する方法や、双方からの天候情報を基に天候種別をそれぞれ決定し、双方の天候種別が一致した場合にのみ当該天候種別を取得し、不一致の場合には天候が不明であると判断させる方法等が考えられる。
【００３９】
なお、天候センサー４や天候情報サーバ５が天候情報に基づいて天候種別を求め、当該天候種別を信号制御装置１に対して発信しても良いし、天候センサー４や天候情報サーバ５から天候情報を受信した他の装置（図示せず）が、当該天候情報から取得した天候種別を信号制御装置１に対して発信しても良い。
その場合、天候種別取得手段１０１は、天候センサー４等から受信した天候種別をそのまま採用して取得しても良い。
【００４０】
天候種別取得手段１０１が取得した天候種別は、メモリ等の記憶部に記録し、必要に応じて記憶部から取り出す。
【００４１】
次に、表示態様決定手段１０２は、前記取得した天候種別を決定要素の１つとして用いて、信号灯器３の各信号灯色の表示態様を決定する。
この場合、表示態様決定手段１０２は、前記記憶部に記録された天候種別を取り出して用いても良いし、天候種別取得手段１０１から前記天候種別を直接受け取っても良い。
【００４２】
表示態様決定手段１０２が決定した表示態様は、メモリ等の記憶部に記録し、必要に応じて記憶部から取り出す。
【００４３】
そして、中央装置通信手段１０６が前記決定された表示態様を通知する指示情報を作成し、当該指示情報を通信回線を介して交通信号制御機２に送信する。
この場合、中央装置通信手段１０６は、前記記憶部に記録された表示態様を取り出して用いても良いし、表示態様決定手段１０２から前記表示態様を直接受け取っても良い。
【００４４】
例えば、前記指示情報が各信号灯色の輝度を含む場合、信号制御装置１における当該輝度の決定方法を図３のフローチャートに従って説明する。
【００４５】
まず、表示態様決定手段１０２は、メモリ等の記憶部に記憶したカレンダから季節と日種を取得する（ステップＳ１１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
なお、カレンダを他の装置（図示せず）から受信した上で、当該受信したカレンダから季節と日種を取得しても良いし、他の装置（図示せず）がカレンダに基づいて取得した季節と日種を信号制御装置１に発信し、当該季節と日種を受信して取得しても良い。
【００４６】
次に、表示態様決定手段１０２は、自己の搭載する時計から現在の時刻情報を取得する（ステップＳ１２）。
【００４７】
さらに、天候種別取得手段１０１が、天候センサー４と天候情報サーバ５の少なくとも１つから発信された天候情報を受信し、当該天候情報を基に天候種別を取得する（ステップＳ１３）。そして、表示態様決定手段１０２は、前記取得した季節、日種、現在時刻、及び天候種別を基に、輝度テーブル（図４）から該当する輝度Ｌを取得する（ステップＳ１４）。
【００４８】
この場合、輝度テーブル（図４）は、メモリ等の記憶部に記録しておき、必要に応じて記憶部を参照して使用すれば良い。
【００４９】
ここで、輝度Ｌは、例えば、カンデラやルクスといった明るさを示す単位を用いた数値として表しても良いし、標準的な明るさを例えば標準輝度として１００と決めておいて、当該標準輝度に対する相対的な輝度で表してもよい。また、明と暗の２パタン、あるいは明と標準と暗の３パタン等のように、複数のパタンの輝度を予め決めておいて、当該パタンで表しても良い。
【００５０】
以上、ステップＳ１１からステップＳ１４までの手順によって、信号灯器３の各信号灯色の輝度を決定することができる。
本発明によれば、例えば、春の平日の１２時の輝度は、天候が「晴れ」であれば「標準」であるが、天候が「濃霧」であれば、輝度を「明」にすることができる。このように、ドライバにとって信号灯器３の視認性が低下すると考えられる濃霧等の天候種別であれば、各信号灯色の輝度を上げることでドライバにとっての視認性を向上させることができる。
【００５１】
このように、視認性の低下する時間帯や天候種別等の場合には、各信号灯色の輝度を上げることで、視認性を向上させることができると共に、視認性の良好な時間帯や天候種別等の場合には、各信号灯色の輝度を必要限度とすることで、常時輝度を上げた状態で表示させる場合に比べて消費電力を小さくすることができる。
【００５２】
なお、輝度の決定方法については本実施例に限らず、例えば、輝度テーブルの項目を、季節と日種と現在時刻と天候種別の少なくとも１つから選んだ項目のみとして構成し、当該選択した項目のみを条件として輝度を決定する方法でも良い。
【００５３】
例えば、前記指令情報が各信号灯色の位置を含む場合、信号制御装置１における当該輝度の決定方法を図５のフローチャートに従って説明する。
【００５４】
まず、表示態様決定手段１０２は、メモリ等の記憶部に記憶したカレンダから季節と日種を取得する（ステップＳ１１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
なお、カレンダを他の装置（図示せず）から受信した上で、当該受信したカレンダから季節と日種を取得しても良いし、他の装置（図示せず）がカレンダに基づいて取得した季節と日種を信号制御装置１に発信し、当該季節と日種を受信して取得しても良い。
【００５５】
次に、表示態様決定手段１０２は、自己の搭載する時計から現在の時刻情報を取得する（ステップＳ２２）。
【００５６】
さらに、天候種別取得手段１０１が、天候センサー４と天候情報サーバ５の少なくとも１つから発信された天候情報を受信し、当該天候情報を基に天候種別を取得する（ステップＳ２３）。そして、表示態様決定手段１０２は、前記取得した季節、日種、現在時刻、及び天候種別を基に、位置テーブル（図６）から該当する位置Ｐを取得する（ステップＳ２４）。
【００５７】
この場合、位置テーブル（図６）は、メモリ等の記憶部に記録しておき、必要に応じて記憶部を参照して使用すれば良い。
【００５８】
ここで、位置Ｐは、各信号灯色の標準的な表示位置を標準位置として決めておいて、当該標準位置に対する相対的な位置で表す。例えば、右と標準と左の３パタン、あるいは上と標準と下の３パタン、あるいは右上、右下、標準、左上、左下の５パタン等のように、複数のパタンの位置を予め決めておいて、当該パタンで位置を表す。
【００５９】
なお、信号灯器３のある基準となる点、例えば各信号灯色の左上の角を基準とした縦方向と横方向の座標値で位置を表現しても良い。この場合の座標値は、例えば灯色の形状が真円であれば、当該真円の中心の座標とすれば良い。
【００６０】
以上、ステップＳ２１からステップＳ２４までの手順によって、信号灯器３の各信号灯色の位置を決定することができる。
【００６１】
本発明によれば、例えば、春の平日の１２時の位置は、天候が「晴れ」であれば「標準」であるが、天候が「濃霧」であれば、位置を「上」にすることができる。このように、ドライバにとって信号灯器３の視認性が低下すると考えられる濃霧等の天候種別であれば、各信号灯色の位置を上にすることで、信号灯器までの距離が遠い地点からであっても、ドライバにとっての視認性を向上させることができる。
また、交差点に向かう道路がカーブしているような地点に設置された信号灯器の場合であれば、位置を「右」もしくは「左」とすることで、信号灯器までの距離が遠い地点からであっても、ドライバにとっての視認性を向上させることができる。
【００６２】
以上のように天候種別によって位置を決定する方法は、各信号灯色を複数のＬＥＤで構成しているＬＥＤ式信号灯器においては、より実現が容易である。
【００６３】
なお、位置の決定方法については本実施例に限らず、例えば、位置テーブルの項目を、季節と日種と現在時刻と天候種別の少なくとも１つから選んだ項目のみとして構成し、当該選択した項目のみを条件として位置を決定する方法でも良い。
【００６４】
例えば、前記指示情報が各信号灯色の大きさを含む場合、信号制御装置１における当該輝度の決定方法を図７のフローチャートに従って説明する。
【００６５】
まず、表示態様決定手段１０２は、メモリ等の記憶部に記憶したカレンダから季節と日種を取得する（ステップＳ１１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
なお、カレンダを他の装置（図示せず）から受信した上で、当該受信したカレンダから季節と日種を取得しても良いし、他の装置（図示せず）がカレンダに基づいて取得した季節と日種を信号制御装置１に発信し、当該季節と日種を受信して取得しても良い。
【００６６】
次に、表示態様決定手段１０２は、自己の搭載する時計から現在の時刻情報を取得する（ステップＳ３２）。
【００６７】
さらに、天候種別取得手段１０１が、天候センサー４と天候情報サーバ５の少なくとも１つから発信された天候情報を受信し、当該天候情報を基に天候種別を取得する（ステップＳ３３）。そして、表示態様決定手段１０２は、前記取得した季節、日種、現在時刻、及び天候種別を基に、大きさテーブル（図８）から該当する大きさＳを取得する（ステップＳ３４）。
【００６８】
この場合、大きさテーブル（図８）は、メモリ等の記憶部に記録しておき、必要に応じて記憶部を参照して使用すれば良い。
【００６９】
ここで、大きさＳは、各信号灯色の標準的な大きさを標準サイズとして決めておいて、当該標準サイズに対する相対的な大きさで表す。例えば、大と標準と小の３パタン等のように、複数のパタンの大きさを予め決めておいて、当該パタンで大きさを表す。
なお、例えば信号灯色の形状が真円であれば、当該円の直径で大きさを表現しても良い。
【００７０】
以上、ステップＳ３１からステップＳ３４までの手順によって、信号灯器３の各信号灯色の大きさを決定することができる。
【００７１】
本発明によれば、例えば、春の平日の１２時の大きさは、天候が「晴れ」であれば「標準」であるが、天候が「濃霧」であれば、大きさを「大」にすることができる。このように、ドライバにとって信号灯器３の視認性が低下すると考えられる濃霧等の天候種別であれば、各信号灯色の大きさを大にすることで、ドライバにとっての視認性を向上させることができる。
【００７２】
このように、視認性の低下する時間帯や天候種別等の場合には、各信号灯色を大きく表示させることで、視認性を向上させることができると共に、視認性の良好な時間帯や天候種別等の場合には、各信号灯色の表示する大きさを必要限度とすることで、常時大きく表示する場合に比べて消費電力を小さくすることができる。
【００７３】
以上のように天候種別によって大きさを決定する方法は、各信号灯色を複数のＬＥＤで構成しているＬＥＤ式信号灯器においては、より実現が容易である。
【００７４】
なお、大きさの決定方法については本実施例に限らず、例えば、大きさテーブルの項目を、季節と日種と現在時刻と天候種別の少なくとも１つから選んだ項目のみとして構成し、当該選択した項目のみを条件として大きさを決定する方法でも良い。
【００７５】
なお、時間帯や天候種別毎に、輝度と位置と大きさのそれぞれの組み合わせを決めておいて、現在時刻や天候種別を条件として、輝度と位置と大きさを決定する方法でもよい。
組み合わせを決めておくことで、例えば、濃霧の発生した夕方のように、最も視認性の低下する条件の場合には、信号灯色の輝度を上げると共に大きく表示させることで、ドライバにとっての視認性をより一層向上することができる。
【００７６】
また、信号制御装置は、１つのコンピュータによって実現されても良いし、複数のコンピュータによって実現されても良い。
同様に、交通信号制御機についても、１つのコンピュータによって実現されても良いし、複数のコンピュータによって実現されても良い。
【００７７】
以上のように、この発明によれば、ドライバによる信号灯器の視認性が天候によって左右される地点において、信号灯器の各信号灯色の輝度、位置、大きさ、及び形状等のうちの少なくとも１つを天候に応じて変化させることで、ドライバによる信号灯器の視認性を向上できると考えられる。
【００７８】
（第２の実施形態）
以下、本発明の第２の実施の形態を、添付図面を参照しながら詳細に説明する。
図９は、本発明の第２の実施の形態に係る信号灯器制御システムの概略を示す図である。
【００７９】
図９において、２は路側に設置される交通信号制御機であり、自身の有する定数等に基づいて、信号灯器３を制御する機能を有する。また、天候センサー４から天候情報を受信する機能を有する。
【００８０】
信号灯器３は交通信号制御機２に接続され、交通信号制御機２によって信号灯色が表示される。
【００８１】
天候センサー４は路側に設置され、当該設置地点における天候情報を検知し、交通信号制御機２に送信する機能を有する。
なお、この第２の実施の形態において、信号制御装置（図示せず）があっても良い。この場合、交通信号制御機２は、前記信号制御装置（図示せず）との間で、例えば交通信号制御機２の動作状態に関する情報等を送受信しても良い。
【００８２】
図９において、交通信号制御機２は、天候センサー４から発信される天候情報を受信する。ここで、天候情報は、例えば、気温、湿度、降水量、日照時間、風速、積雪等のように、天候種別を決定するために必要な情報をいう。
【００８３】
天候情報は、現在もしくは過去の天候情報であっても良いし、予測した未来の天候情報であっても良い。また、天候情報は、特定の地点の情報であっても良いし、複数の地点やエリアの情報であっても良い。
【００８４】
交通信号制御機２は、受信した天候情報から、交通信号制御機２の設置された地点における天候種別を取得する。
天候種別は、例えば、晴れ、曇り、降雨、小雨、大雨、降雪、小雪、大雪、濃霧等である。
なお、前記天候情報が天候種別そのものを含んでいても良い。
【００８５】
また、交通信号制御機２が、例えば無線などの通信手段を別途有し、当該通信手段を通じて天候情報を受信しても良い。
【００８６】
交通信号制御機２は、取得した天候種別に基づいて、信号灯器３の表示態様を決定し、表示させる。
【００８７】
天候センサー４としては、例えば、降雨センサーや降雪センサー等が挙げられ、天候に関する情報を検知できるものであれば良い。また、これらのセンサーを組み合わせて用いても良い。
【００８８】
図１０は、交通信号制御機２の全部または一部を構成する機能を示す機能ブロック図である。
図１０に従って、交通信号制御機２に関する動作を説明する。
【００８９】
図１０において、交通信号制御機２は、天候種別取得手段２０１、表示態様決定手段２０２、信号灯器表示手段２０３、及び天候センサー通信手段２０４から構成される。
天候センサー通信手段２０４は、天候センサー４から天候情報を受信する機能を有する。
また、天候センサー４から送信される天候情報は、天候種別であっても良い。
【００９０】
天候種別取得手段２０１は、天候センサー４から発信された天候情報に基づいて、交通信号制御機２の設置地点における天候種別を取得する機能を有する。
なお、天候種別取得手段２０１による天候種別の取得においては、例えば、その一部が天候種別取得不能となる場合もしくは時間帯があっても良い。
【００９１】
表示態様決定手段２０２は、信号灯器３における各信号灯色の表示態様を決定する機能を有し、前記取得した天候種別を前記表示態様の決定要素の１つとする。
【００９２】
信号灯器表示手段２０３は、前記決定した表示態様に従って、信号灯器３の信号灯色を表示する。
【００９３】
なお、図１０における天候種別取得手段２０１と表示態様決定手段２０２が図９における交通信号制御機２の信号灯器３における各信号灯色の表示態様を決定する方法については、第１の実施の形態と同様の手順とすることができる。
【００９４】
例えば、前記表示態様に各信号灯色の輝度が含まれる場合、第１の実施の形態と同様の手順で、当該輝度を決定することができる。
【００９５】
例えば、前記表示態様に各信号灯色の位置が含まれる場合、第１の実施の形態と同様の手順で、当該位置を決定することができる。
【００９６】
例えば、前記表示態様に各信号灯色の大きさが含まれる場合、第１の実施の形態と同様の手順で、当該大きさを決定することができる。
【００９７】
また、交通信号制御機は、１つのコンピュータによって実現されても良いし、複数のコンピュータによって実現されても良い。
同様に、信号制御装置についても、１つのコンピュータによって実現されても良いし、複数のコンピュータによって実現されても良い。
【図面の簡単な説明】
【００９８】
【図１】本発明に係る第１の実施の形態における信号灯器制御システムの一例の概略を示す図である。
【図２】第１の実施の形態における信号制御装置１及び交通信号制御機２の全部または一部を構成する機能の一例を示す機能ブロック図である。
【図３】輝度の決定手順の一例を示すフローチャートである。
【図４】輝度テーブルの一例を示す図である。
【図５】位置の決定手順の一例を示すフローチャートである。
【図６】位置テーブルの一例を示す図である。
【図７】大きさの決定手順の一例を示すフローチャートである。
【図８】大きさテーブルの一例を示す図である。
【図９】第２の実施の形態における信号灯器制御システムの概略の一例を示す図である。
【図１０】第２の実施の形態における交通信号制御機２の全部または一部を構成する機能の一例を示す機能ブロック図である。
【符号の説明】
【００９９】
１  信号制御装置
２  交通信号制御機
３  信号灯器
４  天候センサー
５  天候情報サーバ
１０１、２０１  天候種別取得手段
１０２、２０２  表示形態決定手段
１０５  天候情報サーバ通信手段
１０６  中央装置通信手段
２０３  信号灯器表示手段
２０４  天候センサー通信手段
２０６  端末装置通信手段
【図１】
2008027025.tif 000003
【図２】
2008027025.tif 000004
【図３】
2008027025.tif 000005
【図４】
2008027025.tif 000006
【図５】
2008027025.tif 000007
【図６】
2008027025.tif 000008
【図７】
2008027025.tif 000009
【図８】
2008027025.tif 000010
【図９】
2008027025.tif 000011
【図１０】
2008027025.tif 000012